(57)【特許請求の範囲】
【請求項１】
表示部と、  前記表示部を支持するスタンド部とを備え、  前記スタンド部は、第１の部材と、前記第１の部材の端部に取り付けられて延性を有する第２の部材からなり、前記第２の部材に前記表示部が固定される支持体を有し、 前記支持体は、前記第１の部材に対する前記第２の部材の取付け状態が調整可能なねじ固定構造を備え、前記第２の部材の一部が前記第１の部材に固定された状態で前記第２の部材の前記一部から離れた部分と前記第１の部材との間の距離をねじ止め構造により調整することで前記第２の部材が有する延性を利用して前記表示部の傾き角度が調整可能な表示装置。
【請求項２】
前記第１の部材はキャスティング材であり、前記第２の部材は鋼材で形成された請求項１に記載の表示装置。
【請求項３】
前記第２の部材は、前記表示部が取り付けられる前壁と、前記前壁の一方の面側に折り曲がり、前記第１の部材に前記ねじ固定構造によって固定される側壁と、前記前壁の前記一方の面側に折り曲がり、前記第１の部材に固定され、前記第２の部材が前記ねじ止め構造によって前記前壁の角度が変化しても前記側壁に接触しないように前記側壁と間隔を有して形成された底壁とを備えた請求項１に記載の表示装置。
【発明の詳細な説明】
【技術分野】
【０００１】
本発明は、表示装置に関する。
【背景技術】
【０００２】
従来、スタンド部と表示部からなる表示装置において、表示部をスタンド部に回転可能に固定したものがある。（例えば、特許文献１参照）。
【０００３】
この表示装置は、表示部をスタンド部に回転可能に支持する回転支持機構を有し、回転支持機構は表示部をねじ固定する一対の取付け部を有している。一対の取付け部は、回転支持機構の上部に左右の延びるアーム部の各端部分に上方へ延びるように設けられている。この取付け部は、表示部の背面側に形成されている穴や窪みに嵌合した上で、止めねじによって表示部に固定される。
【特許文献１】特開２００６−１４６１００号公報
【発明の開示】
【発明が解決しようとする課題】
【０００４】
しかし、従来の表示装置によると、取付け部が回転支持機構と一体化されているため、構成が大型化して重量増になるだけでなく、製造コストが高くなる。このような大型の強度部材が存在することで、表示装置の廃棄時に輸送効率の低下を招き、リサイクル性が低下するという問題がある。
【０００５】
従って、本発明の目的は、強度部材の強度の低下および大型化を防ぎ、リサイクル性に優れる表示装置を提供することにある。
【課題を解決するための手段】
【０００６】  本発明は上記目的を達成するため、表示部と、前記表示部を支持するスタンド部とを備え、前記スタンド部は、第１の部材と、前記第１の部材の端部に取り付けられて延性を有する第２の部材からなり、前記第２の部材に前記表示部が固定される支持体を有し、前記支持体は、前記第１の部材に対する前記第２の部材の取付け状態が調整可能なねじ固定構造を備え、前記第２の部材の一部が前記第１の部材に固定された状態で前記第２の部材の前記一部から離れた部分と前記第１の部材との間の距離をねじ止め構造により調整することで前記第２の部材が有する延性を利用して前記表示部の傾き角度が調整可能な表示装置を提供する。
【発明の効果】
【０００７】
本発明によれば、強度部材の強度の低下および大型化を防ぎ、リサイクル性に優れる表示装置が得られる。
【発明を実施するための最良の形態】
【０００８】
以下に、本発明の表示装置の実施の形態を、図面を参照して詳細に説明する。
【０００９】
図１は、本発明の実施の形態に係る表示装置を示す斜視図である。この表示装置１は、表示部１０と、表示部１０を回転自在に支持するスタンド部１１とから構成されている。
【００１０】
表示部１０は、ＡＢＳ(Acrylonitrile Butadiene Styrene)、ポリカーボネート、アクリル等の樹脂材料からなる前面カバー１００と、表示面１０１Ａに映像を表示する液晶表示部１０１と、図示しないリモコン装置の光操作信号を受光する受光部１０２とを有する。
【００１１】
スタンド部１１は、ＡＢＳ、ポリカーボネート、アクリル等の樹脂材料からなる長方形状のベースカバー１１０と、ベースカバー１１０の中央に長方形状に設けられる支柱部１１１とを有し、支柱部１１１の内部には、スタンド部１１が置かれる面の面方向と直交する方向（垂直方向）に設けられる軸周りに、所定の角度範囲で表示部１０を回転可能に支持する図示しないスィーベル機構が設けられている。
【００１２】
図２は、表示装置の背面側を示す斜視図である。図２においては、表示部１０の液晶表示部および背面カバーを除いたものとしている。表示部１０において、前面カバー１００は、側壁１０ａ，１０ｂ，および上壁１０ｃに図示しない背面カバーを固定するための固定部材１００Ａを有する。前面カバー１００の上壁１０ｃに設けられる固定部材１００Ａには、後述するスタンドレッグ１２０に固定される２本のフレーム１００Ｂが垂直方向に設けられている。この２本のフレーム１００Ｂは、補強部材１００Ｃおよび１００Ｄによって平行に保たれるように固定されている。
【００１３】
また、スタンド部１１において、ベースカバー１１０の背面側に引き出し可能に設けられて表示装置１の転倒を防止する転倒防止部材１１２と、スタンド部１１をワイヤ等の紐状部材で固定系に固定するためのフック１１３とをさらに有している。支柱部１１１には、表示部１０を支持するスタンドレッグ１２０が立設している。スタンドレッグ１２０は、支柱部１１１内に設けられる図示しないスィーベル機構に固定されており、水平方向に所定の長さを有するとともに、端部に表示部１０を固定するための表示部固定部材１２１が設けられた支持体１２を形成している。なお、本実施の形態では、スィーベル機構を設けたことによる表示部１０の回転が可能な支持構造としているが、スィーベル機構を設けずに表示部１０が回転しない支持構造であっても良い。
【００１４】
図３は、表示部を外した状態のスタンド部および支持体の斜視図、図４は、支持体の斜視図、図５は、表示部固定部材の固定状態を示す斜視図、図６は、表示部固定部材の角度微調整機構を示す斜視図である。
【００１５】
スタンドレッグ１２０は、アルミニウム合金からなり、キャスティングにより所定の長さを有して形成されている。また、部材重量を軽減するものとして、上面１２０ａから垂直方向に肉抜き部１２０ｂが形成されるとともに、肉抜きによる捩れ方向の強度低下を防ぐものとしてリブ１２０Ａが設けられている。また、図４に示すように、スタンドレッグ１２０の中央下部にはスィーベル機構に固定するための突起１２５が設けられている。
【００１６】
表示部固定部材１２１は、例えば、一般冷間圧延鋼板材をプレス加工することによって形成されており、図５に示すように前壁１２１Ａ、側壁１２１Ｂ、底壁１２１Ｃを有する。前壁１２１Ａには、フレーム１００Ｂを固定するためのねじ孔１２１Ｄが設けられている。
【００１７】
本実施の形態では、表示部固定部材１２１は、図５に示すように前壁１２１Ａに対して各壁の折り曲げ角が９０度となるように折り曲げ加工されており、側壁１２１Ｂには表示部固定部材１２１をスタンドレッグ１２０に固定するためのねじ１２２を固定するねじ固定部１２１Ｅが一体的に設けられている。
【００１８】
側壁１２１Ｂは、例えば、前壁１２１Ａに底壁１２１Ｃ方向への外力が加えられたとき、変形を許容するように最も下側のねじ孔１２１Ｄ付近から上側の幅Ｗが、ねじ固定部１２１Ｅが設けられる部分の幅よりも小になるように形成されている。また、側壁１２１Ｂと底壁１２１Ｃは、底壁１２１Ｃに対して前壁１２１Ａの角度が変化しても接触しないように間隔を有して形成されている。
【００１９】
この表示部固定部材１２１は、底壁１２１Ｃがねじ１２４によってスタンドレッグ１２０の窪み１２０Ｃに固定され、窪み１２０Ｃに形成された凸状の位置決め突起１２０Ｄに孔１２１Ｆが凹凸係合することによって窪み１２０Ｃ内に位置決めされる。側壁１２１Ｂの外側は、スタンドレッグ１２０に設けられて垂直方向に高さを有したねじ貫通部１２０Ｅによって支持されており、ねじ貫通部１２０Ｅを介して挿入されるねじ１２２をねじ固定部１２１Ｅに締め付けることにより、表示部固定部材１２１がスタンドレッグ１２０に固定される。スタンドレッグ１２０の側壁１２０Ｆには、締め付け後のねじ１２２の頭部が側壁１２０Ｆから突出しないように収容する凹部１２０Ｇが形成されている。
【００２０】
また、表示部固定部材１２１は、図６に示すように、スタンドレッグ１２０に設けられる前壁支持部１２０Ｂにねじ止めされる頭部のない止めねじ１２３によって、前壁１２１Ａと前壁支持部１２０Ｂとの間のがたつきを生じないように構成されている。このことにより、本実施の形態の表示部固定部材１２１は５本のねじによってスタンドレッグ１２０に固定されるとともに、２本の止めねじ１２３によってがたつきの生じない構成を有する。なお、本実施の形態で用いた頭部のない止めねじ１２３に代えて、頭部を有する通常のねじによって固定しても良い。
【００２１】
図７は、図５のＡ−Ａ部におけるスタンドレッグおよび表示部固定部材の断面図である。
【００２２】
このスタンドレッグ１２０は、前述の止めねじ１２３を締め込むことにより、例えば、液晶表示部の取付け角度を微調整することができる。この場合、止めねじ１２３は図示するようにスタンドレッグ１２０に対する表示部固定部材１２１の傾斜角度（後傾角）を調整する角度微調整機構として機能する。
【００２３】
表示部固定部材１２１の角度調整は、下側のねじ固定部１２１Ｅを中心として前壁１２１Ａおよび側壁１２１Ｂを傾斜させることにより行う。まず、図５に示すねじ固定部１２１Ｅに取り付けられるねじ１２２を緩めて、側壁１２１Ｂが前壁１２１Ａの傾斜方向に変位できるようにしておく。次に、２本の止めねじ１２３を締め込むことにより、前壁１２１Ａが押し曲げられて後傾する。このとき、底壁１２１Ｃは図５に示すようにねじ１２４によって固定されているので、前壁１２１Ａの変形に対する反力と止めねじ１２３の締め付け力によってがたつきが抑制された状態で角度が調整される。所望の後傾角（例えば、１°）が得られたところで４本のねじ１２２を締め付けることにより、表示部固定部材１２１がスタンドレッグ１２０に固定される。なお、止めねじ１２３の抜けを防ぐものとして、ねじ孔１２０Ｈと止めねじ１２３との間をねじ止め剤等の固定剤で固定しても良い。
【００２４】
上記した実施の形態によると、軽量でねじれ方向の変形を生じにくいキャスティング材をスタンドレッグ１２０に用いるとともに、延性に優れる鋼板材からなる表示部固定部材１２１をスタンドレッグ１２０にねじ止め固定して支持体１２を形成したので、キャスティング一体成形品と比べても強度部材の強度の低下がなく、かつ小型の支持体１２が得られる。
【００２５】
また、スタンドレッグ１２０と表示部固定部材１２１とがねじ止め固定されているので、廃棄時にはねじ止めを解除し、独立した部品として容易に廃棄することができ、リサイクル性に優れるものとできる。
【００２６】
また、表示部固定部材１２１を鋼板材で形成したことにより、スタンドレッグ１２０に表示部固定部材１２１を一部ねじ固定した状態で、止めねじ１２３の締め付けによる後傾角の調整を容易に行うことができる。この場合には、スタンドレッグ１２０と表示部固定部材１２１とのがたつきのない後傾角の調整が可能になる。
【００２７】
［他の実施の形態］
なお、本発明は、上記実施の形態に限定されず、本発明の技術思想を逸脱あるいは変更しない範囲内で種々な変形が可能である。
【００２８】
例えば、表示部固定部材１２１については一般冷間圧延鋼板材のプレス加工に基づいて形成したものとしたが、他の金属材料や、金属と他の材料との複合材料からなるものであっても良い。また、表示部固定部材１２１をスタンドレッグ１２０に固定する方法についても、一部をねじ止めに代えて貫通ピンによる固定としても良い。
【図面の簡単な説明】
【００２９】
【図１】本発明の実施の形態に係る表示装置を示す斜視図である。
【図２】表示装置の背面側を示す斜視図である。
【図３】表示部を外した上体のスタンド部の斜視図である。
【図４】表示部固定部材を含む支持体としてのスタンドレッグの斜視図である。
【図５】表示部固定部材の固定状態を示す斜視図である。
【図６】表示部固定部材の微調整機構を示す斜視図である。
【図７】図５のＡ−Ａ部におけるスタンドレッグおよび表示部固定部材の断面図である。
【符号の説明】
【００３０】
１…表示装置、１０…表示部、１０ａ，１０ｂ…側壁、１０ｃ…上壁、１１…スタンド部、１２…支持体、１００…前面カバー、１００Ａ…固定部材、１００Ｂ…フレーム、１００Ｃ…補強部材、１０１…液晶表示部、１０１Ａ…表示面、１０２…受光部、１１０…ベースカバー、１１１…支柱部、１１２…転倒防止部材、１１３…フック、１２０…スタンドレッグ、１２０ａ…上面、１２０ｂ…肉抜き部、１２０Ａ…リブ、１２０Ｂ…前壁支持部、１２０Ｃ…窪み、１２０Ｄ…突起、１２０Ｅ…貫通部、１２０Ｆ…側壁、１２０Ｇ…凹部、１２０Ｈ…ねじ孔、１２１…表示部固定部材、１２１Ａ…前壁、１２１Ｂ…側壁、１２１Ｃ…底壁、１２１Ｄ…孔、１２１Ｅ…ねじ固定部、１２１Ｆ…孔、１２４…ねじ、１２５…突起
【要約】
【課題】強度部材の強度の低下および大型化を防ぎ、リサイクル性に優れる表示装置を提供する。
【解決手段】この表示装置１では、軽量でねじれ方向の変形を生じにくいキャスティング材をスタンドレッグ１２０に用いるとともに、延性に優れる鋼板材からなる表示部固定部材１２１をスタンドレッグ１２０にねじ止め固定して支持体１２を形成したので、キャスティング一体成形品と比べても強度部材の強度の低下がなく、かつ小型の支持体１２が得られる。
【選択図】図４【図１】
0004296214.tif 000002
【図２】
0004296214.tif 000003
【図３】
0004296214.tif 000004
【図４】
0004296214.tif 000005
【図５】
0004296214.tif 000006
【図６】
0004296214.tif 000007
【図７】
0004296214.tif 000008